(57)【要約】      （修正有）【課題】  芳香の強さ、風量を調整することができる芳香供給装置を提供する。【解決手段】  液体の香料剤を貯留する貯留手段１１と、貯留部の前記香料剤を香料送出部２０の香料吸収体２１に送出する香料剤供給用手段と、を含んで構成される香料剤供給部１０と、香料剤供給部に対向し香料剤を吸収し通気性を有する香料吸収体２１と、香料を放出する芳香口２５と、香料吸収体から空気を吸入し芳香口より空気を送出する送気用手段と、を含んで構成される芳香送出部２０と、を備えることを特徴とする芳香供給装置。送気用手段は、送気用ポンプ２３からなる。芳香送出部は、芳香口から送出される風量を調整する風量調整手段を備える。香料剤供給部１０は、香料剤の送出量を調整する香料剤調整手段を備える。香料剤供給部は、香料剤を送出する間隔を調整する香料剤送出間隔調整手段を備える。香料剤供給用手段は、香料剤供給用ポンプ１３からなる。【選択図】図２
2004275763.tif 000002
【特許請求の範囲】
【請求項１】
液体の香料剤を貯留する貯留手段と、前記貯留部の前記香料剤を香料送出部の香料吸収体に送出する香料剤供給用手段と、を含んで構成される香料剤供給部と、
前記香料剤供給部に対向し前記香料剤を吸収し通気性を有する香料吸収体と、前記香料を放出する芳香口と、香料吸収体から空気を吸入し前記芳香口より前記空気を送出する送気用手段と、を含んで構成される芳香送出部と、
を備えることを特徴とする芳香供給装置。
【請求項２】
前記送気用手段は、送気用ポンプからなる請求項１に記載の芳香供給装置。
【請求項３】
液体の香料剤を貯留する貯留手段と、前記貯留部の前記香料剤を香料送出部の香料吸収体に送出する香料剤供給用手段と、を含んで構成される香料剤供給部と、
前記香料剤供給部に対向し前記香料剤を吸収し通気性を有する香料吸収体と、前記香料を放出する芳香口と、香料吸収体から空気を吸入し前記芳香口より前記空気を送出する送気用ポンプからなる送気用手段と、を含んで構成される芳香送出部と、を備えることを特徴とする芳香供給装置において、前記香料剤供給部を複数個とし、それぞれに対向する前記香料吸収体を、前記送気用ポンプの吸気側に連通する一の香気供給パイプに接続するとともに、排気側に芳香口を連通する送気用パイプを接続したことを特徴とする芳香供給装置。
【請求項４】
前記芳香送出部は、芳香口から送出される風量を調整する風量調整手段を備えることを特徴とする請求項１，２または３に記載の芳香供給装置。
【請求項５】
前記香料剤供給部は、香料剤の送出量を調整する香料剤調整手段を備えることを特徴とする請求項１ないし４のいずれかに記載の芳香供給装置。
【請求項６】
前記香料剤供給部は、香料剤を送出する間隔を調整する香料剤送出間隔調整手段を備えることを特徴とする請求項１ないし５のいずれかに記載の芳香供給装置。
【請求項７】
前記香料剤供給用手段は、香料剤供給用ポンプからなる請求項１ないし６のいずれかに記載の芳香供給装置。
【発明の詳細な説明】
【技術分野】
【０００１】
本発明は、液体芳香剤に基づく芳香を、所望する局所的な位置に、所望する芳香の強さによって供給する芳香供給装置に関する。
【背景技術】
【０００２】
従来、芳香供給装置は種々提供されているが（特許文献１〜３）、そのほとんどが芳香の強さ（濃度）を自由に調整することができず、芳香の強さ（濃度）を調節するために複数のカートリッジを用意し、必要に応じてカートリッジを差し替える必要があった。
また、芳香供給装置から送風される芳香を有する風の風量の調整もできなかった。
【特許文献１】特開２０００−７９０７６号公報
【特許文献２】特開平０７−３１３５８２号公報
【特許文献３】特開平１１−１９７２２５号公報
【発明の開示】
【発明が解決しようとする課題】
【０００３】
そこで、本発明は、芳香の強さ（濃度）および風量を自由にかつ簡単に調整することができる芳香提供装置を、さらには、各種芳香剤の芳香をブレンドして所望の芳香が得られる芳香供給装置を提供することを課題とする。
【課題を解決するための手段】
【０００４】
上記課題を解決するために、本発明は以下の（１）〜（７）の芳香供給装置を要旨とする。
（１）液体の香料剤を貯留する貯留手段と、前記貯留部の前記香料剤を香料送出部の香料吸収体に送出する香料剤供給用手段と、を含んで構成される香料剤供給部と、
前記香料剤供給部に対向し前記香料剤を吸収し通気性を有する香料吸収体と、前記香料を放出する芳香口と、香料吸収体から空気を吸入し前記芳香口より前記空気を送出する送気用手段と、を含んで構成される芳香送出部と、
を備えることを特徴とする芳香供給装置。
（２）前記送気用手段は、送気用ポンプからなる上記（１）に記載の芳香供給装置。
（３）液体の香料剤を貯留する貯留手段と、前記貯留部の前記香料剤を香料送出部の香料吸収体に送出する香料剤供給用手段と、を含んで構成される香料剤供給部と、
前記香料剤供給部に対向し前記香料剤を吸収し通気性を有する香料吸収体と、前記香料を放出する芳香口と、香料吸収体から空気を吸入し前記芳香口より前記空気を送出する送気用ポンプからなる送気用手段と、を含んで構成される芳香送出部と、を備えることを特徴とする芳香供給装置において、前記香料剤供給部を複数個とし、それぞれに対向する前記香料吸収体を、前記送気用ポンプの吸気側に連通する一の香気供給パイプに接続するとともに、排気側に芳香口を連通する送気用パイプを接続したことを特徴とする芳香供給装置。
（４）前記芳香送出部は、芳香口から送出される風量を調整する風量調整手段を備えることを特徴とする上記（１）、（２）または（３）に記載の芳香供給装置。
（５）前記香料剤供給部は、香料剤の送出量を調整する香料剤調整手段を備えることを特徴とする上記（１）ないし（４）のいずれかに記載の芳香供給装置。
（６）前記香料剤供給部は、香料剤を送出する間隔を調整する香料剤送出間隔調整手段を備えることを特徴とする上記（１）ないし（５）のいずれかに記載の芳香供給装置。
（７）前記香料剤供給用手段は、香料剤供給用ポンプからなる上記（１）ないし（６）のいずれかに記載の芳香供給装置。
【発明の効果】
【０００５】
本発明は、人間（健常人、病人）や動物の居住あるいは滞在空間において、任意の種類の芳香を強さ（濃度）および風量を自由にかつ簡単に調整する芳香供給装置を提供することができる。
本発明の芳香供給装置は、香料剤供給部と芳香送気部との関連において
(1)液体香料剤の供給量と送気量との関連で芳香の強さを調節できる。
(2)芳香の拡散度を調整することができる。わずかに、ほのかに芳香を感じさせることも、風を感じる中に芳香を感じさせることもできる。
(3)芳香口からの芳香の強さ（濃度）を一定にすることができる。送気量との関連で芳香が弱くなったときに香料吸収体に香料剤を香料剤供給部より必要量だけ送出すれば良い。
(4)芳香が弱くなったときには送気量を下げて芳香口からの芳香の強さ（濃度）を調整することが可能である。
【０００６】
また本発明の芳香供給装置は、複数の香料剤供給部を備え、それらの香料剤供給部を個々に制御するので、異なる香気（芳香）を送出すること、異なる香料剤をブレンドして送出することができる。
【発明を実施するための最良の形態】
【０００７】
香料剤は、香料、芳香剤、臭いに関係する種々の薬剤などの液体あるいは液体の状態にしたものであって、気体と混合（接触）すると、人間および／または動物に好まれる、あるいは有効である香気(芳香)となるものを広く指している。香料吸収体は、香料剤、場合によっては香料、芳香剤、臭いに関係する種々の薬剤そのものを吸収し保持し、かつ、通気性を有しており、気体を通気させると香料剤などを放出し香気（芳香）を発生するいかなる種類の材料でも用いることができる。液体香料などを保持し、その中を通気する気体の量（送気量）との関連で任意の強度の芳香を送出することができる繊維状物、不織布、織物、編み物、成形物など形態は自由である。
【０００８】
香料剤を供給する香料剤供給部と、該供給部から供給された香料を空気を搬送媒体として送気する芳香送気部と、に役割を明確に区別する。
芳香送気部においては、空圧回路における一の末端に香料吸収体を配設し、さらに他の一の末端に芳香口を配設し、前記香料吸収体とをポンプで連通する。
液体香料剤の供給量と送気量との関連で芳香の強さ、および、芳香の拡散度を調整すべく構成する。
芳香口からの芳香の強さ（濃度）を一定にすることができる。送気量との関連で芳香が弱くなったときに香料吸収体に香料剤を香料剤供給部より必要量だけ送出すべく構成する。
芳香が弱くなったときには送気量を下げて芳香口からの芳香の強さ（濃度）を調整することが可能に構成する。
【０００９】
図面にもとづいて本発明の実施例を説明するが、本発明はその実施例によって限定されるものではない。
【実施例１】
【００１０】
図１、図２に示す実施例の芳香供給装置は、芳香送気部に香料を供給する芳香剤を供給する香料剤供給部１０と、芳香送気部２０と、香料剤供給部１０に供給する香料剤の量、および、芳香送気部２０の送器量を調節する制御部３０と、で構成されており、各部は以下のように構成されている。
【００１１】
《香料剤供給部》
香料剤供給部１０は、香料剤を収納した貯留手段１１と、モータ１２により駆動される香料剤供給用ポンプ１３と、香料剤供給ポンプ１３の吐出側に設けられた送出バルブ（滴下バルブ、図示せず）と、後述の芳香送出部２０の香料吸収材２１に対向する送出用ノズル（滴下ノズル）１４と、で構成されている。
香料吸収材への香料剤の供給方法は、「滴下」して供給する方法に限定されるものではなく、ノズルから吐出された香料剤がノズルと離間する前に香料吸収材に接触して供給する方法でもよい。
なお、図示実施例では芳香剤の供給にポンプを用いたが、貯留手段中の芳香剤の上面にエアーパルスを与えて定量的に吐出させるようにしても良い。
【００１２】
《芳香送気部》
芳香剤送気部２０は、芳香剤供給部１０の芳香剤滴下ノズル１４から滴下された芳香剤を受ける香料吸収材２１と、香料吸収材２１に滴下された香料剤を周囲の外気と共に吸引する送気用ポンプ２３と、送気用ポンプ２３の吐出側に接続され、先端に芳香口２５を形成した送気パイプ２４とで構成されている。
【００１３】
《制御部》
制御部３０は、香料剤供給ポンプ１３と、送気用ポンプの２３の駆動を制御するものであり、以下のような制御を行う。
１．香料材供給用ポンプ１３の動作時間
香料剤供給用ポンプ１３作動させる時間を調整する。
香料剤供給用ポンプ１３から供給する香料剤の吐出量を調整する。
送気用ポンプ２３の送風量との関連で芳香の強さ（濃度）を制御する。
２．香料剤供給用ポンプ１３の動作間隔
香料剤供給用ポンプ１３を作動させる間隔を調整する。
芳香が弱くなるタイミングに合わせて、香料吸収部材に香料（香料剤）を補充することができる。
香料の種類および送気量との関連で、適宜調整する。
３．送気用ポンプ２３の送気量
単位時間当たりの送気用ポンプ２３の送気量を調整する。
送気量が大きくなると芳香口からの風を感じるようになる。また広範囲に芳香を拡散させやすくなる。
送気を停止すれば、芳香口からの芳香供給を停止する。
下記芳香剤供給用ポンプ２３の動作時間との関連で芳香の強さ（濃度）を制御する。
【００１４】
なお、図１中のCは、上記香料剤供給部１０、芳香送気部２０および制御部３０を収納するケースであり、図示の実施例では、香料剤供給部１０の香料貯留手段１１をケース外部に露出するように構成した態様であり、香料貯留手段の取替えを容易にしているが、この態様に限定されるものではない。
【００１５】
上記構成の芳香供給装置は、香料剤吸収体に供給する香料剤および香料吸収体から芳香口に到る流路の送気量をそれぞれ調整し、香料剤供給部および芳香送出部を駆動すると、香料吸収体に送出された香料剤は送気用ポンプにより周囲の空気と共に吸引され、芳香となって送気用ポンプの吐出口より送出され、送気用パイプを介し所望の場所に提供することができる。
【００１６】
また、本発明の芳香供給装置は、消臭装置として使用することもできる。
送気用ポンプ２３を逆回転にすると芳香口から外気が吸収され香料吸着体から排出される。
香料剤の代わりに消臭剤を用い、香料吸収体に消臭剤を吸収させると、前記芳香装置と前記脱臭装置とにより、芳香装置の芳香口と脱臭装置の消臭口（芳香口）とを適当な距離に配設することにより、芳香させてすぐにその芳香を消臭することができる。
従って、周辺に匂いを撒き散らさずに、芳香を楽しむことができ、また、香水、香料等、種々の香りを楽しむ場合には、香料が混ざらない。または混ざりを最小限に抑えることができる。
【実施例２】
【００１７】
図３は本発明の第２実施例であり、香料剤供給部を複数個とし、それぞれに対向する前記香料吸収体を、送気用ポンプの吸気側に連通する１の香気供給パイプに接続するとともに、排気側に芳香口を備える送気用パイプを接続する態様である。
図３中、１つの芳香送気部に対して複数個の香料剤供給部を配置し、芳香剤供給路中に配設した開閉バルブ１５a、１５b、…の開閉により、異なる芳香剤を選択的に供給できるように構成したものであり、香料剤供給部１０a、１０b、…は開閉バルブ１５a、１５b、…を介して１つの芳香供給パイプ２６で送気用ポンプ２３に連通している。
なお、この実施例における個々の芳香剤供給部および芳香送出部の構成は、第１実施例のそれらと同一構成である。
【００１８】
香料剤供給部１０a、１０b、…と開閉バルブ１５a、１５b、…とは、制御部３０’に接続されており、この制御部３０’からの信号により作動する。
【００１９】
制御部３０’は、香料剤供給部１０a、１０b、…のそれぞれ、および、開閉バルブ１５a、１５b、…のそれぞれを指令することが可能であり、したがって、香料剤供給部１０a、１０b、…および開閉バルブ１５a、１５b、…のそれぞれを個別に作動させることができる。
【００２０】
香料剤供給部１０aの香料剤貯留手段１１aには香料剤Ａが、香料剤供給部１０bの香料剤貯留手段１１bには香料剤Ｂが、他の香料剤供給部の香料剤貯留手段にも種類の異なる香料剤が貯留されており、香料剤Ａを香料吸収材２１aに、香料剤Ｂを香料吸収材２１bに、他の異なる香料剤を対応する香料吸収材に供給した後に開閉バルブ１５a、１５b、…を開くことによって芳香を供給することができる。
【００２１】
このとき、開閉バルブ１５aのみを開くと香料剤Ａの芳香が、開閉バルブ１５bのみを開くと香料剤Ｂの芳香が、他の開閉バルブの１つを開くと対応する香料剤の芳香が芳香口２５より送出される。このとき送気用ポンプ２３を作動させることは言うまでもない。
【００２２】
従って、香料吸収材２１aに香料剤Ａを、香料吸収材２１bに香料剤Ｂを、他の香料吸収材にそれぞれ対応する香料剤を供給しておき、すべての開閉バルブ１５a、１５b、…が閉じている状態から、開閉バルブ１５aを開き、その後に開閉バルブ１５aを閉じ開閉バルブ１５bを開き、その後開閉バルブ１５bを閉じ他の開閉バルブの１つを開く、という動作を行うことによって、香料剤Ａの芳香を芳香口２５から送出した後に香料剤Ｂの芳香を芳香口２５から送出し、さらにその後他の香料剤の芳香を芳香口２５から送出するというように、芳香口２５から送出される芳香の順を変化させることができる。
【００２３】
また、２以上の開閉バルブを同時に開状態にすることによって、異なる香料剤をブレンドして芳香口２５より芳香を送出することができる。
例えば、開閉バルブ１５aおよび開閉バルブ１５bを開くと、香料吸収材２１aに供給された香料剤Ａと香料吸収材２１bに供給された香料剤Ｂとがブレンドされて芳香口２５から送出される。
【００２４】
すなわち、送気用ポンプ２３は、香料吸収材２１aとは開閉バルブ１５aによって連通または遮断され、香料吸収材２１bとは開閉バルブ１５bによって連通または遮断されるので、開閉バルブ１５aおよび開閉バルブ１５bが開くと、送気用ポンプ２３の作動によって、香料吸収材２１aに滴下された香料剤Ａおよび香料吸収材２１に滴下された香料剤Ｂは吸引され、香料剤Ａと香料剤Ｂとは、芳香口２５に至る間の流路中でブレンドされ、芳香口２５から送出される。
【００２５】
以上２種類の香料剤のブレンドする例を説明したが、３種類以上の香料剤をブレンドすることも可能である。
【産業上の利用可能性】
【００２６】
人間（健常人、病人）や動物の居住あるいは滞在空間において、任意の種類の芳香を強さ（濃度）および風量を自由にかつ簡単に調整することに利用できる。
【図面の簡単な説明】
【００２７】
【図１】本発明の芳香供給装置全体の斜視図である。
【図２】本発明の芳香供給装置要部の概略図である。
【図３】本発明の芳香供給装置他の実施例の要部概略図である。
【符号の説明】
【００２８】
１０  芳香剤供給部
１１  香料貯留手段
１２  モータ
１３  芳香剤供給用ポンプ
１４  芳香剤滴下ノズル
１５  開閉バルブ
２０  芳香送出部
２１  香料吸収材
２２  モータ
２３  送気用ポンプ
２４  送気用パイプ
２５  芳香口
２６  芳香供給パイプ
３０、３０’  制御部
Ｃ    ケース
【図１】
2004275763.tif 000003
【図２】
2004275763.tif 000004
【図３】
2004275763.tif 000005